(57)【要約】【課題】  ダイレクトメールであるか否かの判別が不明な受信について、プリントアウトに使用する記録紙の枚数を減少させることができるとともに、その記録紙のプリント内容を容易に判別することができるファクシミリ装置を提供する。【解決手段】  モデム２１及びＮＣＵ２２にて画データを受信して、その受信画データを画像メモリ１５に記憶する。受信数が所定数に達したとき、制御部１２及び画像処理部２３により、画像メモリ１５に記憶された各画データの一部を縮小して、その縮小された所定数の画像を１枚の記録紙内に配置するように処理する。そして、縮小処理された複数の画データを画像記録部１６にて１枚の記録紙に集約して記録する。【選択図】      図１
2007060545.tif 000002
【特許請求の範囲】
【請求項１】
画データを受信する受信手段と、
その受信手段にて受信された画データを記憶する記憶手段と、
受信数が所定数に達したとき、前記記憶手段に記憶された各画データの一部を縮小して、その縮小された所定数の画像を１枚の記録紙内に配置するように処理する画像処理手段と、
その画像処理手段にて処理された画データを記録紙に記録する記録手段と
を備えたことを特徴とするファクシミリ装置。
【請求項２】
送信元情報を取得する送信元情報取得手段と、
送信元情報に基づいて受信手段での受信または記録手段での記録を拒否する拒否手段とをさらに備え、
前記拒否手段にて拒否されなかった受信について、その画データを記憶手段に記憶させることを特徴とする請求項１に記載のファクシミリ装置。
【請求項３】
前記送信元情報取得手段にて送信元情報が取得されるとともに、拒否手段にて拒否されなかった受信について、その送信元情報を拒否手段にて拒否できるように登録する登録手段を設けたことを特徴とする請求項２に記載のファクシミリ装置。
【発明の詳細な説明】
【技術分野】
【０００１】
この発明は、ファクシミリ装置に関するものである。
【背景技術】
【０００２】
ファクシミリ装置においては、ダイレクトメールが送信されてくることがある。このようなダイレクトメールには不要なものが多いため、記録紙や、トナーあるいはインクリボン等を無駄に使用したり、機械寿命を短くしたりしてしまうという不具合があった。
【０００３】
このような不具合に対処するため、例えば、特許文献１及び特許文献２に開示されるようなファクシミリ装置が従来提案されている。特許文献１の従来装置においては、通信相手のＴＳＩ（送信端末識別）信号がすでに登録されている受信拒否情報と一致する場合、通信は通常通り行われるものの、画データのプリントが行われなかったり、画データが縮小プリントされたりするようになっている。特許文献２の従来装置においては、通信相手のＴＳＩ信号がすでに登録されている通信相手からのから迷惑メールであるか否かが判断され、迷惑メールの場合は、空送受信され、登録されていない始めての通信相手の場合は、使用者が表示部において内容の一部を確認してからプリントの有無を判断するようになっている。
【特許文献１】特開平５−２８４３１５号公報
【特許文献２】特開平５−３３６３３２号公報
【発明の開示】
【発明が解決しようとする課題】
【０００４】
ところが、これらの特許文献１及び２のファクシミリ装置においては、画データのプリントに際して、等倍プリントの場合は、少なくとも１枚の記録紙が用いられ、縮小プリントの場合は、そのプリント枚数が制限されるようになってはいないため、記録紙が無駄になるという問題があった。また、特許文献２においては、表示部において画データの内容の一部が確認されてからプリント実行の要否が判断されるものであるが、表示部において画データの内容を正確に確認することは難しく、結局はプリントによる確認に依存する割合が高くなり、面倒かつ不便であるばかりでなく、前記と同様に記録紙が無駄に使用される。
【０００５】
この発明は、このような従来の技術に存在する問題点に着目してなされたものである。その目的は、ダイレクトメール等の不要メールであるか否かの判別が不明な受信について、そのメール内容を容易に判別することができるとともに、プリントアウトに使用する記録紙の枚数を減少させることができるファクシミリ装置を提供することにある。
【課題を解決するための手段】
【０００６】
上記の目的を達成するために、この発明は、画データを受信する受信手段と、その受信手段にて受信された画データを記憶する記憶手段と、受信数が所定数に達したとき、前記記憶手段に記憶された各画データの一部を縮小して、その縮小された所定数の画像を１枚の記録紙内に配置するように処理する画像処理手段と、その画像処理手段にて処理された画データを記録紙に記録する記録手段とを備えたことを特徴としている。
【０００７】
従って、画データが受信されるごとに、その画データが記憶手段に記憶され、受信数が所定数に達したとき、記憶された各画データが読み出されて、１枚の記録紙に集約してプリントアウトされる。よって、ダイレクトメール等の不要メールであるか否かの判別が不明な受信について、１つの受信ごとに必ず１枚の記録紙を用いてプリントアウトが行われるようなことがなく、記録紙の使用量を減少させることができる。
【０００８】
しかも、複数の画データが１枚の記録紙に集約してプリントアウトされるため、複数枚の記録紙のプリント内容を１枚ずつ確認して要否の判別を行う必要がなく、１枚の記録紙により複数の画データのプリント内容を同時に確認及び判別することができる。よって、その判別作業を容易に行うことができる。
【０００９】
また、前記の構成において、送信元情報を取得する送信元情報取得手段と、送信元情報に基づいて受信手段での受信または記録手段での記録を拒否する拒否手段とをさらに備え、前記拒否手段にて拒否されなかった受信について、その画データを記憶手段に記憶させるようにすることもできる。
【００１０】
このように構成すると、取得した送信元情報に基づいてダイレクトメール等の不要メールの受信または記録を拒否することができる。この場合、送信元情報が取得できなくて、受信または記録が拒否されなかった受信については、その画データを一応受信して記憶手段に記憶させることができる。よって、送信元情報がなく、必要な通信であるか否かが不明な画データを逃すおそれを確実に防止することができる。
【００１１】
さらに、前記の構成において、送信元情報取得手段にて送信元情報が取得されるとともに、拒否手段にて拒否されなかった受信について、その送信元情報を拒否手段にて拒否できるように登録する登録手段を設けることもできる。
【００１２】
このように構成すると、記録紙のプリント内容からダイレクトメール等の不要メールであると判断された場合、それに送信元情報があるときには、その送信元情報に基づいて受信または記録を拒否する送信先として容易に登録することができ、それ以降の受信または記録が拒否される。
【発明の効果】
【００１３】
以上のように、この発明によれば、ダイレクトメール等の不要メールであるか否かの判別が不明な受信について、プリントアウトに使用する記録紙の枚数を減少させることができるとともに、その受信内容を容易かつ的確に判別することができる。
【発明を実施するための最良の形態】
【００１４】
以下に、この発明の一実施形態を、図面に基づいて説明する。
図１に示すように、このファクシミリ装置１１は、制御部１２、ＲＡＭ（Random Access Memory)１３、画像読取部１４、画像メモリ１５、画像記録部１６、表示部１７、操作部１８、コーデック（ＣＯＤＥＣ；Coder-Decoder）１９、ページメモリ２０、モデム（ＭＯＤＥＭ；Modulator-Demodulator）２１、ネットワーク制御装置（ＮＣＵ；Network Control Unit）２２、及び、画像処理部２３を備え、これらの各部１１〜２３は、バス２４を介して互いに接続されている。
【００１５】
そして、この実施形態においては、前記モデム２１及びＮＣＵ２２により受信手段が構成され、画像メモリ１５により記憶手段が構成されている。また、画像処理部２３により画像処理手段が構成され、画像記録部１６により記録手段が構成されている。この画像記録部１６は電子写真方式により記録紙に対して画像を記録する。さらに、モデム２１及びＮＣＵ２２により送信元情報取得手段が構成され、制御部１２により拒否手段が構成され、制御部１２及び操作部１８により登録手段が構成されている。
【００１６】
前記制御部１２は、ファクシミリ装置１１の各部を制御するＭＰＵ（Micro Processing Unit）１２ａ、及び、そのＭＰＵ１２ａが実行するプログラムや各種情報を記憶するＲＯＭ（Re ad Only Memory）１２ｂから構成されている。ＲＡＭ１３には、ナンバーディスプレイ受信拒否リスト１３ａ、ＴＳＩ（送信側端末識別情報）受信拒否リスト１３ｂ及び画像ファイル／ＩＤ管理リスト（以下、単に管理リストという）１３ｃが設けられ、ファクシミリ装置１１に関する各種情報が一時的に記憶される。なお、ナンバーディスプレイは、公衆回線を管理する通信会社が送信ユーザの求めに応じて通信データに付す電話番号である。
【００１７】
前記画像読取部１４は、原稿の画像を読み取ってそのイメージ信号を出力する。画像メモリ１５は、画像読取部１４において読み取られた原稿の画データを記憶する。また、画像メモリ１５は、ファックス受信した画データをイメージデータとして、ＩＤ（Identification）番号とともに一時的に記憶する。ここで、前記ＩＤ番号は、受信側端末が画データに対してその画データごとに付与するものである。画像記録部１６は、画像メモリ１５に記憶されたイメージデータに対応する画像を電子写真方式により記録紙上に記録する。
【００１８】
前記表示部１７は、タッチパネルディスプレイからなり、ファクシミリ装置１１の動作状態を示す各種情報を表示する。操作部１８は、前記タッチパネルディスプレイに加え、スキャナモード及びファックスモード等の各種モードを切り替えるモードキー１８ａ、送信先の電話番号等を入力するテンキー１８ｂ、拒否情報等を登録する登録キー１８ｃ、及び原稿の読取動作を開始させるためのスタートボタン１８ｄ等を備えている。
【００１９】
前記コーデック１９は、ファックス送受信等のために、ＭＭＲ（Modified MR (Modified READ)）方式によりイメージデータの圧縮符号化及び復号を行う。また、コーデック１９は、画像メモリ１５に記憶されている画データをイメージデータに復号し、このイメージデータをページメモリ２０に記憶させる。モデム２１は、ファックス伝送制御手順に基づいて、送信データの変調及び受信データの復調を行う。ＮＣＵ２２は、公衆電話回線との接続を制御するとともに、相手先の電話番号に対応したダイヤル信号を送出する機能、及び着信を検出する機能を備えている。
【００２０】
前記画像処理部２３は、画像メモリ１５に格納されている二値のイメージデータの多値化処理、縮小処理、及び疑似中間調処理等のデータ処理を行う。また、この画像処理部２３は、受信数が所定数（実施形態では４通信）に達したとき、画像メモリ１５に記憶された各画データの最初のページを４分の１に縮小して、縮小された４つの画像が１枚の記録紙内にサムネイル状に整列配置されるように処理する。そして、前記ＭＰＵ１２ａは画像記録部１６を作動制御して、図４に示すように、画像処理部２３で処理された各画データの画像２６ａ〜２６ｄをＩＤ番号２７ａ〜２７ｄとともに、１枚の記録紙２５上に集約して記録させる。
【００２１】
次に、前記のように構成されたファクシミリ装置１１の動作を説明する。
さて、前記制御部１２のＭＰＵ１２ａは、ファックスモードにおいて、画像読取部１４、コーデック１９、モデム２１及びＮＣＵ２２等を制御し、原稿から読み取った画データを公衆電話回線を通じて送信する。また、制御部１２のＭＰＵ１２ａは、公衆電話回線を通じて画データを受信したとき、コーデック１９、画像処理部２３及び画像記録部１６等を制御し、図２のフローチャートに示すような画像処理及び記録動作を実行する。このフローチャートは、ＲＯＭ１２ｂ内に格納されたプログラムがＭＰＵ１２ａの制御のもとに進行するものである。
【００２２】
すなわち、図２に示すように、画データを受信すると、まずステップ（以下、単にＳと略記する）１において、送信元情報としてのナンバーディスプレイ情報が取得される。次に、Ｓ２において、ナンバーディスプレイ情報を取得できたか否かが判別され、情報を取得できた場合には、Ｓ３において、取得されたナンバーディスプレイ情報が、ＲＡＭ１３のナンバーディスプレイ受信拒否リスト１３ａに記憶された電話番号で表される拒否情報と比較される。そして、Ｓ４において、取得情報が拒否情報と一致するか否かが判別され、一致した場合には、次のＳ５において通信手順において呼出信号に２次応答をしないで、着信の拒否状態で動作を終了する。
【００２３】
一方、前記Ｓ２の判別において、ナンバーディスプレイ情報を取得できなかった場合、及び前記Ｓ４の判別において、取得情報が拒否情報と一致しなかった場合には、Ｓ６において、送信元情報であるＴＳＩ情報が取得される。次に、Ｓ７において、ＴＳＩ情報を取得できたか否かが判別され、情報を取得できた場合には、Ｓ８において、取得されたＴＳＩ情報がＲＡＭ１３のＴＳＩ受信拒否リスト１３ｂに記憶されたコードで表される拒否情報と一致するか否かが判別される。そして、ＴＳＩ情報が拒否情報と一致した場合には、Ｓ９において、画データの受信は行うが、記録紙２５に対する印字は行わない旨の決定をして動作を終了する。
【００２４】
さらに、前記Ｓ７の判別において、ＴＳＩ情報が取得できなかった場合、及び前記Ｓ８の判別において、ＴＳＩ情報が拒否情報と一致しなかった場合には、Ｓ１０に進行する。そして、このＳ１０において、受信した画データがＩＤ番号とともに画像メモリ１５に一時的に格納される。次に、Ｓ１１において、前回の集約印字後の画像メモリ１５への格納データ数に"１"が加算され、その後、Ｓ１２において、格納データ数が所定数（４通信分）に達したか否かが判別される。
【００２５】
前記Ｓ１２の判別において、格納データ数が４通信分に達していない場合には、Ｓ１３において、前回の集約印字から所定時間（例えば１日間）経過したか否かが判別される。そして、所定時間経過していない場合には、前記Ｓ１に戻って、Ｓ１〜Ｓ１３の動作が繰り返し実行される。一方、前記Ｓ１２の判別において、格納データ数が４通信分に達した場合、及び前記Ｓ１３の判別において、前回の集約印字から所定時間経過した場合には、次のＳ１４の処理に進む。
【００２６】
Ｓ１４において、画像メモリ１５から各受信における画データの最初のページが読み出され、コーデック１９で復号される。そして、Ｓ１５において、読み出され復号された各画データが画像処理部２３で４分の１の大きさに縮小されて、ページメモリ２０に書き込まれ、１枚の記録紙２５内に配置するように処理される。その後、ページメモリ２０から画データが読み出され、図４に示すように、画像記録部１６により各画データの画像２６ａ〜２６ｄがＩＤ番号２７ａ〜２７ｄとともに、１枚の記録紙２５上に集約して記録される。最後に、Ｓ１６で格納データ数をクリアして、全動作を終了する。
【００２７】
このように、画データが受信されるごとに、その画データが画像メモリ１５に記憶され、受信数が所定数に達したとき、記憶された各画データが読み出されて、１枚の記録紙２５に集約してプリントアウトされる。よって、ダイレクトメール等の不要メールであるか否かの判別が不明な受信について、１つの受信ごとに少なくとも１枚の記録紙を用いて無駄にプリントアウトが行われることがなく、記録紙２５の使用量を減少させることができる。
【００２８】
また、複数の画データが１枚の記録紙２５に集約してプリントアウトされるため、複数枚の記録紙のプリント内容を１枚ずつ確認して要否の判別を行う必要がなく、１枚の記録紙２５により複数の画データのプリント内容を同時に確認及び判別することができる。よって、その判別作業を容易に行うことができる。しかも、画データの確認を記録紙２５にプリントされた状態で行うことができるため、表示部で確認する場合とは異なり、その確認を的確に誤ることなく行うことができる。
【００２９】
さらに、受信ごとに、送信元情報としてのナンバーディスプレイ情報及びＴＳＩ情報が取得され、それらの取得情報が拒否リスト１３ａ，１３ｂの拒否情報と照合される。よって、受信がダイレクトメール等の不要メールであって、取得された送信元情報が拒否情報と一致する場合には、その不要メールの受信または記録紙２５への印字を確実に拒否することができる。この場合、送信元情報を取得できないため、受信または印字が拒否されなかった受信については、その画データが一応受信されて画像メモリ１５に記憶される。よって、送信元情報が付されておらず、必要な通信（受信）であるか否かが判別できないが、必要な通信である可能性が高い通信の画データを逃すおそれを確実に防止することができる。
【００３０】
しかも、格納データ数が所定数に達していない場合でも、前回の集約印字から所定時間経過したときに、記録紙２５への画データの縮小印字が行われる。このため、受信の頻度が低くて、格納データ数が４通信分溜まるのに例えば数日を要する場合等においても、緊急で重要な受信内容を迅速に確認することができる。
【００３１】
次に、受信者が、図４に示すように、記録紙２５に集約印字された各画データの画像２６ａ〜２６ｄを確認して、所定の画データの全ページの印字を必要とする場合には、印字モードを選択する。すると、制御部１２のＭＰＵ１２ａは、画像記録部１６及び表示部１７等を制御し、図３のフローチャートに示すような記録動作及び拒否リストの登録動作を実行する。
【００３２】
すなわち、図３に示すように、Ｓ１７において、受信画像のＩＤ入力モードが選択された後、Ｓ１８において、操作部１８から所定の画データに対応するＩＤ番号が入力されると、Ｓ１９において、入力されたＩＤ番号に対応する画データが存在するか否かが判別される。そして、ＩＤ番号に対応する画データが存在しない場合には、Ｓ２０において、表示部１７にＩＤ番号の再入力や訂正を促す表示が行われる。これに対して、ＩＤ番号に対応する画データが存在する場合には、Ｓ２１において、該当する画データの全ページが画像メモリ１５から読み出され、コーデック１９で復号されて、画像記録部１６により記録紙２５に印字される。
【００３３】
その後、Ｓ２２において、印字した画データに対応してＴＳＩ情報あるいはナンバーディスプレイ情報が付いているか否かが判別され、ＴＳＩ情報及びナンバーディスプレイ情報がない場合には、Ｓ２３において、表示部１７に拒否リストへの登録不能の表示が行われて動作を終了する。一方、ＴＳＩ情報あるいはナンバーディスプレイ情報がある場合には、Ｓ２４において、ＴＳＩ情報あるいはナンバーディスプレイ情報をＲＡＭ１３のＴＳＩ受信拒否リスト１３ｂに登録するか否かが確認され、登録しない場合には動作を終了する。これに対して、操作部１８の登録キー１８ｃの操作によるＴＳＩ情報あるいはナンバーディスプレイ情報の登録が確認されると、Ｓ２５において、テンキー１８ｂからの拒否情報の入力を待って、Ｓ２６において、ＲＡＭ１３の受信拒否リスト１３ｂにＴＳＩ情報あるいはナンバーディスプレイ情報を示すコードあるいは電話番号が追加登録されて全動作を終了する。
【００３４】
このように、記録紙２５のプリント内容から不要メールであると判別した場合、それにＴＳＩ情報あるいはナンバーディスプレイ情報があるときには、そのＴＳＩ情報あるいはナンバーディスプレイ情報を受信拒否情報としてＲＡＭ１３の拒否リスト１３ｂに追加登録することができる。よって、その後に同一の送信先からダイレクトメール等の不要メールを受信した場合には、その画データが記憶あるいは縮小印字されるのを拒否することができる。
【００３５】
（変更例）
なお、この実施形態は、次のように変更して具体化することも可能である。
・  前記実施形態において、ＲＡＭ１３にダイレクトメールでないとして、受信及び印字を許可する送信先の電話番号を登録するように構成すること。
【００３６】
・  前記実施形態において、画データの最初のページの縮小率を前記実施形態とは異なる縮小率，例えば１／６，１／８，１／１０あるいは１／１２等に変更して、１枚の記録紙２５に６，８，１０，１２等の複数の画像をサムネイル状に集約して印字するように構成すること。
【図面の簡単な説明】
【００３７】
【図１】一実施形態のファクシミリ装置を示すブロック図。
【図２】受信処理動作を示すフローチャート。
【図３】印字処理動作を示すフローチャート。
【図４】記録紙に対する画データの印字状態を示す正面図。
【符号の説明】
【００３８】
１１…ファクシミリ装置、１２…拒否手段及び登録手段を構成する制御部、１２ａ…ＭＰＵ、１２ｂ…ＲＯＭ、１３…ＲＡＭ、１５…記憶手段を構成する画像メモリ、１６…記録手段を構成する画像記録部、１８…登録手段を構成する操作部、１８ｃ…登録キー、２０…ページメモリ、２１…受信手段及び送信元情報取得手段を構成するモデム、２２…受信手段及び送信元情報取得手段を構成するＮＣＵ、２３…画像処理手段を構成する画像処理部、２５…記録紙、２６ａ〜２６ｄ…画像、２７ａ〜２７ｄ…ＩＤ番号。
【図１】
2007060545.tif 000003
【図２】
2007060545.tif 000004
【図３】
2007060545.tif 000005
【図４】
2007060545.tif 000006